(57)【特許請求の範囲】
【請求項１】
領収・配達票部の両側に折り兼切り用ミシン目を介して正貼付票と副貼付票を連接し、前記領収・配達票部には領収票と配達票を切り用ミシン目によって区画形成し、前記各票の表面には所定の記入欄を設け、前記副貼付票が最上位に位置するように前記各折り兼切り用ミシン目でジグザグ状に三つ折りすると、前記正副貼付票の間に前記領収・配達票部が重なり合う状態となって、前記副貼付票の記入欄のみを視認可能となす一方、前記正貼付票の裏面側には剥離紙で被覆した粘着剤を設け、前記副貼付票の折り兼切り用ミシン目と直交する各辺側を、前記領収・配達票部及び前記正貼付票よりも延出し、この延出部分における裏面側には、剥離紙で被覆した粘着剤を設けたことを特徴とする配送伝票。
【発明の詳細な説明】
【０００１】
【発明の属する技術分野】
本発明は、領収・配達票部の両側に折り兼切り用ミシン目を介して正貼付票と副貼付票を連接し、前記領収・配達票部には領収票と配達票を切り用ミシン目によって区画形成し、前記各票の表面には所定の記入欄を設けてなる配送伝票に関し、特に、代金着払いの配送品について使用するのに適した配送伝票に関する。
【０００２】
【従来の技術】
従来の代金着払いの配送品に対して使用する配送伝票は、配送品代金を領収するために、領収票などの金額記入欄に金額を記入した状態で配送品の梱包材に貼付されている。このため、金額を見れば配送品の価値がわかるので、配送作業中に、高価な配送品が盗まれるという事故が発生している。
【０００３】
従来、複写可能な所定枚数の伝票を重ねて綴じ合わせた配送伝票にあっては、金額の記入が不要な伝票に、金額が直接記入あるいは複写記入されて視認されることを避けるために、当該記入欄に、記入内容を視認困難とするカモフラージュ印刷を施したり、複写記入できない処理を施して、対応している。しかしながら、貼付票と領収票と配達票とをミシン目を介して連接してなる配送伝票に関しては、何らの対応もとられていない。
【０００４】
【発明が解決しようとする課題】
このため、貼付票と領収票と配達票とをミシン目を介して連接してなる配送伝票において、記入した金額を視認不能とする対応策の確立が望まれている。本発明は、この要望に応えた配送伝票を提供することを目的とする。
【０００５】
【課題を解決するための手段】
この目的を達成するために、本発明の請求項１に記載した配送伝票は、領収・配達票部の両側に折り兼切り用ミシン目を介して正貼付票と副貼付票を連接し、前記領収・配達票部には領収票と配達票を切り用ミシン目によって区画形成し、前記各票の表面には所定の記入欄を設け、前記副貼付票が最上位に位置するように前記各折り兼切り用ミシン目でジグザグ状に三つ折りすると、前記正副貼付票の間に前記領収・配達票部が重なり合う状態となって、前記副貼付票の記入欄のみを視認可能となす一方、前記正貼付票の裏面側には剥離紙で被覆した粘着剤を設け、前記副貼付票の折り兼切り用ミシン目と直交する各辺側を、前記領収・配達票部及び前記正貼付票よりも延出し、この延出部分における裏面側には、剥離紙で被覆した粘着剤を設けたものである。
【０００６】
【発明の実施の形態】
以下、添付図面に基いて本発明の好適な実施形態を説明する。ここにおいて、図１は所定事項を記入した配送伝票の平面図、図２はこの配送伝票を折り兼切り用ミシン目で折り重ねた状態の平面図、図３は図２のＡ−Ａ線端面図、図４は図２のＢ−Ｂ線端面図、図５は必要事項を追加記入して分離した状態の領収票の平面図である。
【０００７】
図１に示すように、配送伝票１は、領収・配達票部２の両側に折り兼切り用ミシン目３，４を介して正貼付票５と副貼付票６を連接し、前記領収・配達票部２には領収票７と配達票８を、前記各折り兼切り用ミシン目３，４と直交する切り用ミシン目９によって区画形成してなる。前記正副各貼付票５，６と前記領収・配達票部２の連接方向の長さはほぼ同一であり、前記副貼付票６が最上位に位置するように前記各折り兼切り用ミシン目３，４でジグザグ状に三つ折りすると、図２に示すように、前記副貼付票６の表面のみが視認可能となるよう構成している。
【０００８】
図１に示すように、副貼付票６の表面には、「貼付票（副）」なる標題１０のほか、届け先記入欄１１、依頼主記入欄１２、品名記入欄１３、受付年月日記入欄１４、伝票番号１５、取り扱い会社表示１６を設けている。また、正貼付票５の表面には、「貼付票（正）」なる標題１７のほか、届け先記入欄１８、依頼主記入欄１９、品名記入欄２０、受付年月日記入欄２１、伝票番号２２、取り扱い会社表示２３を設けている。
【０００９】
領収票７の表面には、「領収票」なる標題２４のほか、品名記入欄２５、金額記入欄２６、受領印捺印欄２７、受領年月日記入欄２８、伝票番号と同一内容の問い合せ番号２９を設けている。前記受領印捺印欄２７には、あらかじめ取り扱い会社の名称と社判が印刷で表示され、領収時には、配送担当者が自己の氏名を記入するとともに、捺印するように構成している。さらに、配達票８の表面には、「配達票」なる標題３０のほか、届け先記入欄３１、依頼主記入欄３２、品名記入欄３３、伝票番号３４を設けている。
【００１０】
図１、図２及び図４に示すように、副貼付票６の連接方向と直交する方向の両端側は、それぞれ切り用ミシン目３５，３６を介して、領収・配達票部２及び正貼付票５よりも延出し、この延出部分における裏面側に、粘着剤３７を塗布して剥離紙３８で被覆してなる。この粘着剤３７と剥離紙３８は、前記各切り用ミシン目３５，３６と接しないように設けると好適である。また、図３及び図４に示すように、正貼付票５の裏面側全面には、粘着剤３９を塗布して剥離紙４０で被覆してなる。
【００１１】
続いて、上述した配送伝票１の使用方法を説明する。まず、図１に示すように、正副各貼付票５，６、領収票７、配達票８の、受領印捺印欄２７と受領年月日記入欄２８を除く各記入欄１１，１２，１３，１４，１８，１９，２０，２１，２５，２６，３１，３２，３３に、所定の事項を印字記入、あるいは手書き記入する。
【００１２】
次に、図２〜図４に示すように、副貼付票６の裏面側に、領収・配達票部２である領収票７及び配達票８と正貼付票５を各折り兼切り用ミシン目３，４でジグザグ状に折り重ねると、正副各貼付票５，６の間に領収票７及び配達票８が重なり合って、前記副貼付票６の各記入欄１１，１２，１３の記入事項のみが視認可能となり、前記領収票７、前記配達票８、前記正貼付票５の各記入欄１８，１９，２０，２５，２６，２７，３１，３２，３３は、視認不能な状態となる。この状態で各剥離紙３８，４０を前記正副各貼付票５，６の裏面から剥離し、露出した各粘着剤３７，３９で配送品の梱包材（図示せず）の適所に貼着する。
【００１３】
この後、通常の配送作業に移るのであるが、配送品の金額が記入されている領収票７の金額記入欄２６は、図２〜図４で理解できるように、前記領収票７全体が副貼付票６で被覆隠蔽されるので、この副貼付票６を除去して領収・配達票部２を露出しない限り、配送作業中に配送品の金額を視認することはできない。
【００１４】
配達票８は配送作業の途上において、配送品が届け先を管轄する着店に到着し、ここから届け先に配送する際に、配送担当者が、副貼付票６を各切り用ミシン目３５，３６を破断しながら捲り上げるとともに、各切り用ミシン目３，４を破断することにより、正貼付票５を配送品の梱包材（図示せず）に残した状態で、前記副貼付票６と領収・配達票部２分離し、領収票７とともに配送担当者の手許において使用する。一方、前記副貼付票６は、この時点で不要となり、廃棄などして適宜処分する。
【００１５】
配送担当者は、届け先記入欄１８，３１に記入された届け先に配送品を配達した際に、領収票７の金額記入欄２６に記入された金額を受領する一方、切り用ミシン目９を破断して領収票７を配達票８から分離し、その受領印捺印欄２７に担当者として自己の氏名を記入するとともに受領印を捺印し、受領年月日記入欄２８に、受領年月日を記入する（図５参照）。そして、この領収票７を届け先に手渡すものである。
【００１６】
なお、本発明は上述した実施形態に限定されるものではなく、例えば、正副各貼付票５，６の位置は反対でもよく、また、領収・配達票部２における領収票７と配達票８の区画形成は、各折り兼切り用ミシン目３，４と平行なミシン目によってもよい。さらに、正副各貼付票５，６、領収票７及び配達票８のレイアウトや、各記入欄の態様や種類などは、金額記入欄２６が必須である以外は、適宜変更可能である。そして、前記配達票８にも金額を明記しておくと、配達後の事務処理において、受領金額との対比処理がし易くなる。またさらに、配送伝票１の裏面全体を１枚の剥離紙で被覆するよう構成してもよい。
【００１７】
【発明の効果】
以上説明したように、本願発明の請求項１に記載した配送伝票によれば、金額部分を副貼付票で被覆して、配送作業中に、少なくとも配送担当者が特定される着店までは、配送品の金額を視認不能とし、配送品の金銭的価値を、配送担当者をはじめとする配送作業に携わる者などが、視認することができないように構成したので、配送品が盗難にあう確率を減少させることができるという効果を奏する。
【図面の簡単な説明】
【図１】所定事項を記入した配送伝票の平面図。
【図２】配送伝票をミシン目で折り重ねた状態の平面図。
【図３】図２のＡ−Ａ線端面図。
【図４】図２のＢ−Ｂ線端面図。
【図５】必要事項を追加記入して分離した状態の領収票の平面図
【符号の説明】
１      配送伝票
２      領収・配達票部
３，４      折り兼切り用ミシン目
５      正貼付票
６      副貼付票
７      領収票
８      配達票
９      切り用ミシン目
１１，１８，３１      届け先記入欄
１２，１９，３２      依頼主記入欄
１３，２０，３３      品名記入欄
２６      金額記入欄
２７      受領印捺印欄
３５，３６      切り用ミシン目
３７，３９      粘着剤
３８，４０      剥離紙
【図１】
0003751193.tif 000002
【図２】
0003751193.tif 000003
【図３】
0003751193.tif 000004
【図４】
0003751193.tif 000005
【図５】
0003751193.tif 000006